(57)【要約】【課題】起立状態では携帯通信端末機を装着しやすいように下部で支持しつつ、横斜めに支持する場合には携帯通信端末機の上部も支持できる使用目的に応じて支持形態を選択使用出来る充電台の提供を目的とする。【解決手段】携帯通信端末機を下部側で係合装着する装着本体部と、装着本体部の背面に上下方向回動自在にスタンドとを備え、スタンドは、装着本体部の背面に一端を軸着しているアーム部と、アーム部に略台形形状の接地ベース部を連結した側面視略Ｌ字又は略Ｔ字型であり、略台形形状の接地ベース部は、本体部の底部側に回動した起立状態にて装着本体部側が略台形形状の上底になるように配置し、本体部の頂部側に回動した横斜め状態にて携帯通信端末機の側部を支持するように突出するガイド状突起を略台形形状の下底側に有していることを特徴とする充電台とした。【選択図】  図１
2006270242.tif 000002
【特許請求の範囲】
【請求項１】
携帯通信端末機を下部側で係合装着する装着本体部と、装着本体部の背面に上下方向回動自在にスタンドとを備え、スタンドは、装着本体部の背面に一端を軸着しているアーム部と、アーム部に略台形形状の接地ベース部を連結した側面視略Ｌ字又は略Ｔ字型であり、略台形形状の接地ベース部は、本体部の底部側に回動した起立状態にて装着本体部側が略台形形状の上底になるように配置し、本体部の頂部側に回動した横斜め状態にて携帯通信端末機の側部を支持するように突出するガイド状突起を略台形形状の下底側に有していることを特徴とする充電台。
【請求項２】
装着本体部の背面に一端を軸着したアーム部を本体部の底部側に回動し、アーム部に連結した略台形形状の接地ベース部の下面を接地面にすることで起立状態となることを特徴とする請求項１記載の充電台。
【請求項３】
装着本体部の背面に一端を軸着したアーム部を本体部の頂部側に回動し、アーム部に連結した接地ベース部の略台形形状の上底を接地面にすることで伏臥状態となることを特徴とする請求項１記載の充電台。
【請求項４】
装着本体部の背面に一端を軸着したアーム部を本体部の頂部側に回動し、アーム部に連結した接地ベース部の略台形形状の側辺を接地面にすることで横斜め置き状態となることを特徴とする請求項１記載の充電台。
【発明の詳細な説明】
【技術分野】
【０００１】
本発明は、携帯電話機等の携帯通信端末用の充電台に関する。
【背景技術】
【０００２】
携帯電話機等の携帯通信端末機は二次電池を備え、充電台に装着して充電器と接続し、繰り返し充電を行って使用する。
これまでの充電台は例えば図７に示すように、ヒンジ部１２１により回動するスタンド１２０を設け、図７（イ）、図７（ロ）に示すようにスタンド１２０の形態を切り替えて充電台１１０による携帯電話機１の支持形態を変えている。
通常の充電は充電台１１０を起立させた図７（イ）の状態で行い、充電をしながらデータ通信を行う場合には、携帯電話機を寝かせて充電端子と併設している通信端子４が通信用ケーブル６を接続出来るように、通信端子４と設置面７との間に空間１２５をスタンド１２０を開いて形成するものである。
近年、携帯電話機の更なる多機能化に伴い、携帯電話機の表示パネル５にテレビ画面を映し出したり、パソコンやテレビ等と接続する用途が増加している。
その際に、携帯電話機を横方向に保持する支持形態が望まれる。
特に表示パネル５が液晶パネルの場合には表示面が少し上向くように横斜めに支持するのが見やすくてよい。
しかし、従来の充電台においては装着しやすいように携帯電話機の下部しか保持していないために横にすると携帯電話機の自重で上部が倒れ込み充電台から外れる問題があった。
特開２００４−３１２１０１号公報にはデータ通信を行う場合と行わない場合に充電装置のスタンドを通信用ケーブルを接続出来るように回転させる技術を開示する。
しかし、携帯電話機を横向きに支持してなおかつその表示パネルを見やすく傾斜させたものではない。
【０００３】
【特許文献１】特開２００４−３１２１０１号公報
【発明の開示】
【発明が解決しようとする課題】
【０００４】
本発明は上記技術的課題に鑑みて、起立状態では携帯通信端末機を装着しやすいように下部で支持しつつ、横斜めに支持する場合には携帯通信端末機の上部も支持できる使用目的に応じて支持形態を選択使用出来る充電台の提供を目的とする。
【課題を解決するための手段】
【０００５】
本発明に係る充電台は、携帯通信端末機を下部側で係合装着する装着本体部と、装着本体部の背面に上下方向回動自在にスタンドとを備え、スタンドは、装着本体部の背面に一端を軸着しているアーム部と、アーム部に略台形形状の接地ベース部を連結した側面視略Ｌ字又は略Ｔ字型であり、略台形形状の接地ベース部は、本体部の底部側に回動した起立状態にて装着本体部側が略台形形状の上底になるように配置し、本体部の頂部側に回動した横斜め状態にて携帯通信端末機の側部を支持するように突出するガイド状突起を略台形形状の下底側に有していることを特徴とする。
【０００６】
ここで装着本体部の背面上下方向とは、携帯通信端末機を起立状態で充電台に装着した態様における充電台の上下方向をいい、この起立状態にて装着本体部の上端部を頂部、接地面側を底部という。
【０００７】
スタンドをアーム部と接地ベース部とで構成し、側面視略Ｌ字型又は略Ｔ字型にし、アーム部の一端を装着本体部の背面に上下方向回動自在に軸着したことにより、装着本体部の背面に一端を軸着したアーム部を本体部の底部側に回動し、アーム部に連結した略台形形状の接地ベース部の下面を接地面にすることで充電台が起立状態となり、上部から下方に電話機を差し込むように縦置きにして充電台に装着できる。
【０００８】
装着本体部の背面に一端を軸着したアーム部を本体部の頂部側に回動し、アーム部に連結した接地ベース部の略台形形状の上底を接地面にすることで伏臥状態となり、電話機を寝かせ状態に保持できる。
また、装着本体部の背面に一端を軸着したアーム部を本体部の頂部側に回動し、アーム部に連結した接地ベース部の略台形形状の側辺を接地面にすることで横斜め置き状態となり、この場合に、接地ベース部を略台形形状とし、下底側にガイド状突起を有していることにより、接地ベース部を頂部側に回動するとガイド状突起が電話機の上部側部を支持するように突出するので、充電台を横斜め置きにした際に電話機が自重で外れるのを防止し、接地ベース部が略台形形状なので側辺を接地面にするとパネル表示面がやや上向くように傾斜する。
なお、ここで、接地ベース部を略台形形状としたのは、側辺を接地面にするとパネル表示面がやや上向くように傾斜するからであり、傾斜角度が垂直方向に対して小さくて良い場合には、接地ベース部の形状を長方形のような矩形形状にしても良い。
【発明の効果】
【０００９】
本発明に係る携帯通信端末用充電台においては、スタンドを倒す位置と接地部を選択し、充電台を起立（縦置き）状態と伏臥（寝かせ置き）状態と横斜め置き状態のいずれにも出来る。
起立状態では、接地ベース部の下面（縦置き接地部）を接地させて装着本体部と携帯電話機を従来技術と同様に起立させて支持する。
この場合に携帯電話機を下部にて支持するため装着しやすい。
横斜め置き状態においては、略台形形状側辺（横斜め置き接地部）を接地させて充電台を横斜め状態にする際に、ベース部を台形形状としたため、設置面に仰角を形成するようになり携帯電話機の表示パネルが見やすい。
横斜め置き状態にしてもスタンドの接地ベース部の略台形形状の下底側に、携帯電話機をガイド保持するガイド状突起を有しているため、携帯電話機を安定して保持できる。
また、横斜め置き状態あるいは伏臥状態にすると、通信用ケーブル用の空間を携帯電話機の底面側に形成できる。
【発明を実施するための最良の形態】
【００１０】
本発明に係る携帯電話機等の携帯通信端末機用充電台の支持態様を図を用いて説明する。
図１（イ）は携帯電話機１を充電台１０に起立（縦置き）状態で保持する場合の態様を示し、図１（ロ）は携帯電話機を横斜め置き状態で保持する場合の態様を示し、図１（ハ）は携帯電話機を伏臥（寝かせ置き）状態で保持する場合を示す。
また、図１（ニ）に起立状態の側面視を示す。
充電器として必要なＡＣアダプタや電源ケーブル等は図示省略してある。
充電台１０は携帯電話機１を収納装着する装着本体部１２と、装着本体部を支持するように装着本体部背面１２ｂに取り付けたスタンド２０とを備えている。
装着本体部１２は、携帯電話機１を嵌合させる嵌合凹部１３を形成するように、係合凹部１４ｃ、１４ｄを備えた受け部１４ａ、１４ｂを設けている。
そして、係合凹部１４ｃ、１４ｄ内に係合爪（図示省略）等を設け、携帯電話機１側には端子面２ｂ付近に係合部（図示省略）を設けて互いに係合させることで携帯電話機１を凹部１３に嵌合する。
携帯電話機１への充電は、係合凹部１４ｃ、１４ｄ内の充電端子１６と、携帯電話機１の受電端子３とを携帯電話機１を凹部１３へ嵌合させた時に導通接続して行う。
凹部１３は係合凹部１４ｃ、１４ｄ間に隙間１５を備えている。
この隙間１５は充電台１０に携帯電話機１を装着した際に、凹部１３内に配置される通信端子４に通信ケーブルを接続可能な大きさに形成している。
スタンド２０は装着本体部１２の背面１２ｂにヒンジ部２１を介して取り付けている。
図５にヒンジ部２１にてスタンド２０を折り返す状態を示す。
スタンド２０はアーム部２２の一端にヒンジ部２１を、他端に板状で略台形形状の接地ベース部２３を備えている。
そして、スタンド２０はヒンジ部２１の回転軸２１ａを中心として上下方向回動自在に装着本体部背面１２ｂに連結している。
これにより、接地ベース部２３の位置を、係合凹部１４ｃ側である装着本体部底部１２ｃ側とした起立状態位置と、装着本体部頂部１２ｄ側とした伏臥状態あるいは横斜め置き位置に選択可能である。
接地ベース部２３をアーム部２２の反対側から見た形状を図６に示す。
接地ベース部２３は略台形形状で、アーム部２２の反対側の面を縦置き接地部２３ａとし、台形の上底を伏臥接地部２３ｂとし、側辺を横斜め置き接地部２３ｃとし、下底は台座２３ｅの両側にガイド状突起２３ｆを設けたホールド部２３ｄとしている。
【００１１】
次に充電台の各態様について説明する。
図２に起立状態を示す。
充電台１０は装着本体部１２に、端子面２ｂを下側（設置面７側）にして携帯電話機１を装着保持している。
スタンド２０の接地ベース部２３は充電台の下部側に回動し接地ベース部の下面（縦置き接地部）２３ａを接地面にして起立する。
図３に横斜め置き状態を示す。
図３（イ）は接地ベース部２３側からみた側面図を示し、図３（ロ）は斜視図を示す。
充電台１０は横斜め置き接地部（接地ベース部側辺）２３ｃを設置面７に接地させて、携帯電話機１を横斜め置きにしている。
充電台１０は横斜め置き接地部（接地ベース部側辺）２３ｃが図１（ロ）に示す装着本体部１２の装着面１２ａとの間に形成している角度Ａ相当分斜め上方へ装着面１２ａを傾斜させて、携帯電話機１の表示パネル５の長手方向側辺部５ｂを設置面７に対して傾斜して保持する。
そして、幅方向側辺部５ａを設置面７と平行にしている。
これにより、表示パネル５は横向きにして斜め上方へ見やすい角度に傾斜し、表示パネル５が長手方向を水平方向とする横長画面を表示した場合に画面が見やすくなっている。
この場合装着した携帯電話機１に対して、図６に示すホールド部（接地ベース部下底）２３ｄは台座２３ｅ部分が携帯電話機の背面２ｃに当たり、ガイド状突起２３ｆが横斜め置きにした携帯電話機に携帯電話機の側面２ａを支持し、携帯電話機が外れるのを防止する。
このとき、端子面２ｂと設置面７との間に通信用ケーブル６を接続するための空間２４を形成する。
これにより、受け部１４ａ、１４ｂの間の隙間１５から通信用ケーブル（コネクタ）６を接続し、データ通信を行いながら充電が可能である。
図４に伏臥（寝かせ）状態を示す。
図４（イ）は側面図を示し、図４（ロ）は斜視図を示す。
充電台１０は図６に示す伏臥接地部（接地ベース部上底）２３ｂを設置面７に接地させて、携帯電話機１をその表示パネル５を上向きにして保持している。
携帯電話機１の端子面２ｂと接地面７との間には通信用ケーブル６を通すのに充分な空間２４が形成されているため充電を行いながらデータ通信できる。
【図面の簡単な説明】
【００１２】
【図１】本発明に関する携帯電話機充電台の三態様を示す。
【図２】起立（縦置き）の充電台に携帯電話機を装着した状態を示す。
【図３】横斜め置きの充電台に携帯電話機を装着した状態の説明図を示す。
【図４】伏臥（寝かせ置き）の充電台に携帯電話機を装着した状態の説明図を示す。
【図５】スタンドの折り返し状態の説明図を示す。
【図６】接地ベース部の形状の説明図を示す。
【図７】従来の携帯電話機充電台を用いて携帯電話機のデータ通信を行う状態を示す。
【符号の説明】
【００１３】
１      携帯電話機
２      携帯電話機のケース
２ａ    携帯電話機のケース側面
２ｂ    携帯電話機端子面
２ｃ    携帯電話機背面
３      受電端子
４      通信端子
５      表示パネル（画面）
５ａ    表示パネル幅方向辺部
５ｂ    表示パネル長手方向辺部
６      通信用ケーブル
７      設置面
１０    充電台
１２    装着本体部
１２ａ  装着本体部の装着面
１２ｂ  装着本体部の背面
１２ｄ  装着本体部頂部
１２ｅ  装着本体部底部
１３    嵌合凹部
１４ａ、１４ｂ  受け部
１４ｃ、１４ｄ  受け部の係合凹部
１５    受け部間の隙間
１６    充電端子
２０    スタンド
２１    ヒンジ部
２１ａ  回転軸
２２    アーム部
２３    接地ベース部
２３ａ  縦置き接地部（接地ベース部下面）
２３ｂ  伏臥接地部（接地ベース部上底）
２３ｃ  横斜め置き接地部（接地ベース部側辺）
２３ｄ  ホールド部（接地ベース部下底）
２３ｅ  台座
２３ｆ  ガイド状突起
２４    空間
【図１】
2006270242.tif 000003
【図２】
2006270242.tif 000004
【図３】
2006270242.tif 000005
【図４】
2006270242.tif 000006
【図５】
2006270242.tif 000007
【図６】
2006270242.tif 000008
【図７】
2006270242.tif 000009